(57)【要約】【課題】 組立・解体の作業性がよく、経験を必要とせず、より安全性の高い組立て足場の連結装置を提供する。【解決手段】組立て足場は、支柱に固設された平面視コ字状で下方へ傾斜した受金具２に、横材１０ａの端部に固設された連結金具１０ｂを係合させて横部材１０を支柱１に連結するもので、連結装置は、受金具２と連結金具１０ｂと楔１７とから構成されている。連結金具１０ｂは、横材１０ａの端部に固設された端金１１と、端金１１内に水平方向の支持ピン１６で回動可能に支持され下端に係止爪１２ｃを備えた係止金具１２と、係止金具１２の上部を外方へ付勢する板バネ１３とから構成されている。連結時は、受金具２に連結金具１０ｂを係合させ、上方から楔１７を係止金具１２に係合させて打ち込む。これにより、係止爪１２ｃが受金具２の下端に係止される。【選択図】図１
0003119606.tif 000002
【実用新案登録請求の範囲】
【請求項１】
支柱に備えた平面視コ字状で下方へ傾斜した受金具に、横部材に備えた連結金具を係合させ、上方から楔を嵌入させて連結する組立て足場の連結装置であって、該連結金具は、該横部材の端部に固設され平面視逆コ字状で該支柱の受金具に係合する係合凹部１１ｈを備えた端金１１と、該端金１１内に設けられた係止金具１２および弾性部材とからなり、該係止金具１２は水平方向の支持ピンで回動可能に支持され、楔が嵌入したとき該受金具に係止する係止爪１２ｃを下端に備え、該弾性部材は、該係止金具１２の上部を外方へ付勢するように設けられたことを特徴とする組立て足場の連結装置。
【請求項２】
前記弾性部材は、板バネであり、その上端と下端をそれぞれ水平方向のピンに係止して前記係止金具１２の背面側に配置したことを特徴とする請求項１記載の組立て足場の連結装置。
【請求項３】
前記端金１１は、筋交いを係止するための取付孔を備えたことを特徴とする請求項１記載の組立て足場の連結装置。
【考案の詳細な説明】
【技術分野】
【０００１】
本考案は、支柱に横部材を連結して組立てられる組立て足場の連結装置に関するものである。
【背景技術】
【０００２】
建物に付設される組立式の足場は、繰り返し使用され、一般に、鋼管製の支柱に横部材を連結して組立てられている。支柱に横部材を連結する手段としては、クランプ式のものと楔緊結式のものが知られ、実用化されている。楔緊結式は、例えば、図５に示すように、支柱１に平面視コ字状で下方へ傾斜した受金具２を固設し、横部材４の両端に固設した楔状の係入金具４ａを係入させて、上方からハンマーで叩いて緊結するものが広く使用されている。
【０００３】
また、楔緊結式の従来技術には、支柱の受金具の側面の上部にクサビ孔を設け、横部材の係入金具を受金具へ嵌合した後、クサビをクサビ孔へ水平に挿通して係入金具が抜けないようにしたものがある（例えば、特許文献１）。
【０００４】
【特許文献１】実公平４−３８０３９号公報
【考案の開示】
【考案が解決しようとする課題】
【０００５】
上記の楔緊結式の連結装置は、簡素な構造で耐久性も高いが、係入金具を受金具へ楔状に嵌入させているので、嵌入量が一定になり難く、足場が傾斜したり、ガタツクことが少なくない。このため、よい足場を組み立てるには、かなりの経験を必要とし、時間もかかっている。
また、特許文献１のものは、足場が傾斜することは少ないが、クサビで係入金具を押さえ付けて緊結しており、受金具およびクサビ孔、係入金具の寸法精度が一定以上にないと、均一の緊結は困難である。このように、従来の楔緊結式の連結装置は、作業性が良いとは言えず、組み立てるのに経験を必要とし、安全上の観点からも改善が望まれている。
【０００６】
そこで、本考案は、組立・解体の作業性がよく、経験を必要とせず、より安全性の高い組立て足場の連結装置を提供することを目的としている。
【課題を解決するための手段】
【０００７】
本考案の組立て足場の連結装置は、上記の目的を達成するため次の手段を採った。すなわち、支柱に備えた平面視コ字状で下方へ傾斜した受金具に、横部材に備えた連結金具を係合させ、上方から楔を嵌入させて連結する組立て足場の連結装置であって、該連結金具は、該横部材の端部に固設され平面視逆コ字状で該支柱の受金具に係合する係合凹部１１ｈを備えた端金１１と、該端金１１内に設けられた係止金具１２および弾性部材とからなり、該係止金具１２は水平方向の支持ピンで回動可能に支持され、楔が嵌入したとき該受金具に係止する係止爪１２ｃを下端に備え、該弾性部材は、該係止金具１２の上部を外方へ付勢するように設けられたことを特徴としている。
なお、上記の構成には実施形態で説明する図面の符号を付したが、これは、内容を簡便に理解するためで、考案の技術的範囲を図面のものに限定するものではない。
【０００８】
この連結装置は、支柱の受金具、横部材の連結金具および楔とからなり、連結金具は、端金１１と、係止金具１２と、弾性部材とからなる。なお、受金具は図５で説明した従来と同じものを使用している。
端金１１は、筋交いを係止するための取付孔を設けるとよい（請求項３）。
係止金具１２は楔１７と係合して前後方向に回動し、係止爪１２ｃが受金具に係脱するように、互いの形状を選定する。
【０００９】
弾性部材はゴムまたはバネを使用する。バネの場合は、例えば、支持ピンに捩りコイルバネを付設してもよいが、請求項２に記載のように、板バネを使用し、その上端と下端をそれぞれ水平方向のピンに係止して前記係止金具１２の背面側に配置するのが望ましい。なお、上記の係止金具１２の上部を外方へ付勢するとは、係止金具１２の支持ピンより上の部分を支柱側へ付勢することを意味する。
【考案の効果】
【００１０】
本考案の組立て足場の連結装置は、上記のように、連結金具は、平面視逆コ字状で受金具に係合する係合凹部１１ｈを備えた端金１１と、端金１１内に設けられた係止金具１２および弾性部材とからなり、係止金具１２は水平方向の支持ピンで回動可能に支持され、楔が嵌入したとき該受金具に係止する係止爪１２ｃを下端に備え、弾性部材は、係止金具１２の上部を外方へ付勢するように設けられているので、作業性がきわめてよい。
【００１１】
すなわち、組立時は、係合凹部１１ｈを受金具へ係合させて、楔１７を上から軽く打ち込むことにより、係止爪１２ｃが受金具に係合され、解体時は、楔１７を下から軽く打ち込むことによって係止爪１２ｃを解除でき、従来のように受金具を変形させるほど打ち込むような必要はなく、経験を必要とせず、誰でも同じように簡便確実に連結することができる。また、連結された後は弾性部材によって支柱に端金１１が密着して締結されるので安全性も向上する。また、支柱は従来のものをそのまま使用できるので、本考案のものに変更するのに経済的負担が少ないという実用的な効果もある。
【００１２】
さらに、弾性部材を板バネとし、その上端と下端をそれぞれ水平方向のピンに係止して前記係止金具１２の背面側に配置（請求項２）すれば、作業性がよく耐久性の高いものにできる。
また、端金１１に筋交いを係止するための取付孔を設ければ（請求項３）、筋交いを受金具に取り付ける場合に比較してより簡便に取り付けることができる。
【考案を実施するための最良の形態】
【００１３】
本考案の組立て足場の連結装置の実施の形態を図１〜図４に基づいて説明する。
組立て足場は、受金具２が固設された支柱１を所定間隔をおいて、それぞれ高さ調節ジャッキの上に立設し、これに横部材１０を連結して組立てられる。
組立て足場の連結装置は、支柱１の受金具２と横部材１０の連結金具１０ｂと楔１７とから構成されている。なお、支柱１および受金具２の構成は、図５で説明した従来のものと同じである。
【００１４】
連結金具１０ｂは、横材１０ａの両端にそれぞれ固設され、端金１１と係止金具１２と弾性部材としての板バネ１３と、係止金具１２および板バネ１３を端金１１へ取り付けるための支持ピン１６およびピン１４，１５とから構成されている。
端金１１は、平面視逆コ字状で係合凹部１１ｈを備え、正面部１１ｅは、支柱１の外周面に面接触するように凹面に形成されている。そして、端金１１には、板バネ１３の上端を支持するピン１４のピン孔１１ａと、板バネ１３の下端を支持するピン１５のピン孔１１ｂと、係止金具１２を回転自在に支持ピン１６で支持するためのピン孔１１ｃが設けられている。なお、ピン孔１１ｂは、ピン１５が縦方向に移動できるように縦長に設けられている。
【００１５】
係止金具１２は、楔１７と係合する円弧状の係合部１２ｂを上部に備え、下端には受金具２の下端に係止する係止爪１２ｃを備えている。そして、係止金具１２の略中央部にはピン孔１２ｄが設けられ、支持ピン１６で前後方向に回動可能に取り付けられている。
板バネ１３は、両端がフック状に形成され、係止金具１２側へ円弧状に湾曲させて、ピン孔１１ａ，１１ｂに挿嵌されたピン１４，１５に係止されている。
楔１７は、正面部１７ｂは平坦であるが、背面部１７ａは下方に向かって漸次細くなるように傾斜しており、中間部に凹部１７ｃが設けられている。
【００１６】
次に、このように構成された組立て足場の連結装置の作用について説明する。
立設された支柱１に横部材１０を連結する場合は、図３（ａ）に示すように、連結金具１０ｂの係合凹部１１ｈを支柱１の受金具２に係合させて載せる。このとき、係合凹部１１ｈは受金具２の上端に当接している。また、このとき、係止部材１２は上部側が板バネ１３によって押されており、支持ピン１６を支点として反時計回りに回動した状態となっている。なお、このとき、板バネ１３の下端はピン孔１１ｂの上の方に位置する。
【００１７】
次に、楔１７を端金１１の先端側へ正面部１７ｂを前方にして上方から内挿する。
楔１７は図３（ｂ）に示すように、自重で落下し、凹部１７ｃで係止金具１２の係合部１２ｂと係合して係止している。そして、この状態で、上方からハンマーで打ち込むと、板バネ１３を撓ませ、下端がピン孔１１ｂの下方へ移動し、楔１７は下方へ押し込まれ、係止部材１２を時計回りに回動させる。これにより、図１に示すように、係止爪１２ｃが受金具２の下端に係止する。
【００１８】
組立てられている組立て足場を分解するときは、図１において、楔１７の下端をハンマーで上方へ向けて叩くだけでよい。これにより、楔１７は上方へ移動し、これに伴って係止金具１２が時計回りに回動し、係止爪１２ｃが受金具２から離脱し、図３（ｂ）の状態となる。この状態で、楔１７を抜き取れば、横部材１０を持ち上げて外すことができる。
【００１９】
図４は、支柱１に横部材１０を連結するとともに、筋交い２０を連結して補強したもので、筋交い２０の一端は横部材１０の端金１１のピン孔１１ｄにピン１５で連結されている。また、他端は、受金具２に係合させて係止部材２１を上方から打ち込んで係止している。
【００２０】
なお、上記の実施の形態では、板バネ１３の両端にピン１４，１５を係止させて、下端側のピン孔１１ｂを長孔としたが、ピン孔１１ｂをピン孔１１ａと同じ丸穴として、板バネ１３に荷重がかかったとき下端をピン１５から離脱して移動できるようにしてもよい。
【図面の簡単な説明】
【００２１】
【図１】本考案の組立て足場の連結装置の実施の形態を示す側面図である。
【図２】同  分解斜視図である。
【図３】同  横部材を支柱に連結させる状態を示す側面図で、（ａ）は、連結前の状態、（ｂ）は、連結途中の状態を示すものである。
【図４】同  筋交いを付設した使用例を示す側面図である。
【図５】従来の組立て足場の連結装置の一例を示す斜視図である。
【符号の説明】
【００２２】
１  支柱
２  受金具
４  横部材
４ａ  端金
１０  横部材
１０ａ  横材
１０ｂ  連結金具
１１  端金
１１ａ  ピン孔
１１ｂ  ピン孔
１１ｃ  ピン孔
１１ｄ  ピン孔
１１ｅ  正面部
１１ｈ  係合凹部
１２  係止金具
１２ａ  背部
１２ｂ  係合部
１２ｃ  係止爪
１２ｄ  ピン孔
１３  板バネ
１４  ピン
１５  ピン
１６  支持ピン
１７  楔
１７ａ  当接面
１７ｂ  正面部
１７ｃ  凹部
２０  筋交い
【図１】
0003119606.tif 000003
【図２】
0003119606.tif 000004
【図３】
0003119606.tif 000005
【図４】
0003119606.tif 000006
【図５】
0003119606.tif 000007